(57)【要約】  【課題】  特に発熱の高い半導体部品に対する冷却効果も十分に発揮できる構成を有する光ディスク記録再生装置を提供する。  【解決手段】  光ディスクが装置内に挿入され、光ディスクが装置内に有ると判定されると、温度センサからの温度データが取得される。そして、装置の現在の動作状態が例えば記録動作中であると、前記取得された現在の温度データが示す筐体内温度に対応した指定記録速度がテーブルから読み出されて設定され、設定された指定記録速度に従って光ディスクが回転する。この構成によれば、記録動作時に筐体内温度が上昇すると、光ディスクが通常よりも速く回転するので、この光ディスクの回転による風が発熱の高い半導体部品（モータ駆動回路）などに当たり、この半導体部品などはファンによる冷却に加え、更に冷却され、装置の熱暴走を防ぐことができ、これにより、装置を保護することができる。【選択図】      図４
2006318598.tif 000002
【特許請求の範囲】
【請求項１】
光ディスクを回転させるスピンドルモータ、このスピンドルモータを駆動させるモータ
駆動回路、光ディスクに対して情報の書込み／読出しを光学的に行う光ピックアップなど
を収容した筐体を有し、光ディスクに対して情報の記録／再生を行う光ディスク記録再生
装置において、
筐体内の温度を測定するための温度センサと、複数個に分割された温度範囲の筐体内温
度と前記分割された温度範囲の筐体内温度が高くなるに従って記録速度が速くなる指定記
録速度と前記分割された温度範囲の筐体内温度に従って再生速度が速くなる指定再生速度
との対応関係を示すテーブルとを備えると共に、
装置内に光ディスクが有るか否かを判定するディスク有無判定手段と、装置内に光ディ
スクが有るということが前記ディスク有無判定手段により判定された場合に前記温度セン
サから温度データを取得する温度データ取得手段と、現在の動作状態が記録動作中である
か再生動作状態であるかを判定する動作状態判定手段と、現在の動作状態が記録動作中で
あると判定された場合に前記温度データ取得手段により取得された現在の筐体内の温度デ
ータが示す筐体温度に対応した指定記録速度を前記テーブルから読み出して指定記録速度
を設定する記録速度設定手段と、現在の動作状態が再生動作中であると判定された場合に
前記温度データ取得手段により取得された現在の筐体内の温度データが示す筐体内温度に
対応した指定再生速度を前記テーブルから読み出して再生速度を設定する再生速度設定手
段と、記録動作時には前記記録速度設定手段により設定された指定記録速度に従って前記
モータ駆動回路を介して前記スピンドルモータを回転させると共に再生動作時には前記再
生速度設定手段により設定された再生速度に従って前記モータ駆動回路を介して前記スピ
ンドルモータを回転させるモータ回転制御手段とを有するシステムコントローラを備え、
前記システムコントローラを含む回路基板を、セットされた時の光ディスクの上方に配
置し、且つ、光ディスクの回転による風が多く当たる回路基板の部分に、発熱の高い半導
体部品である前記モータ駆動回路を少なくとも配置したことを特徴とする光ディスク記録
再生装置。
【請求項２】
光ディスクを回転させるスピンドルモータ、このスピンドルモータを駆動させるモータ
駆動回路、光ディスクに対して情報の書込み／読出しを光学的に行う光ピックアップなど
を収容した筐体を有し、光ディスクに対して情報の記録／再生を行う光ディスク記録再生
装置において、筐体内の温度を測定するための温度センサを筐体内に設け、筐体内温度が
高くなるに従って前記スピンドルモータの回転速度を上げるように制御を行うシステムコ
ントローラを備え、前記システムコントローラを含む回路基板を光ディスクの上方に配置
し、且つ、光ディスクの回転による風が多く当たる回路基板の部分に、発熱の高い半導体
部品を配置したことを特徴とする光ディスク記録再生装置。
【請求項３】
前記システムコントローラは、装置内に光ディスクが有るか否かを判定するディスク有
無判定手段と、装置内に光ディスクが有るということが前記ディスク有無判定手段により
判定された場合に前記温度センサから温度データを取得する温度データ取得手段と、現在
の動作状態が記録動作中であるか再生動作状態であるかを判定する動作状態判定手段と、
現在の動作状態が記録動作中であると判定された場合に前記温度データ取得手段により取
得された現在の筐体内の温度データが示す筐体温度に対応した指定記録速度を前記テーブ
ルから読み出して指定記録速度を設定する記録速度設定手段と、現在の動作状態が再生動
作中であると判定された場合に前記温度データ取得手段により取得された現在の筐体内の
温度データが示す筐体内温度に対応した指定再生速度を前記テーブルから読み出して再生
速度を設定する再生速度設定手段と、記録動作時には前記記録速度設定手段により設定さ
れた指定記録速度に従って前記モータ駆動回路を介して前記スピンドルモータを回転させ
ると共に再生動作時には前記再生速度設定手段により設定された再生速度に従って前記モ
ータ駆動回路を介して前記スピンドルモータを回転させるモータ回転制御手段とを有する
ことを特徴とする請求項２に記載の光ディスク記録再生装置。
【請求項４】
前記システムコントローラを含む回路基板を、セットされた時の光ディスクの上方に配
置し、且つ、光ディスクの回転による風が多く当たる回路基板の部分に、発熱の高い半導
体部品である前記モータ駆動回路を少なくとも配置したことを特徴とする請求項２に記載
の光ディスク記録再生装置。
【発明の詳細な説明】
【技術分野】
【０００１】
本発明は、光ディスクを回転させるスピンドルモータ、このスピンドルモータを駆動さ
せるモータ駆動回路、光ディスクに対して情報の書込み／読出しを光学的に行う光ピック
アップなどを収容した筐体を有し、光ディスクに対して情報の記録／再生を行う光ディス
ク記録再生装置に関する。
【背景技術】
【０００２】
近年、映像音声信号などの情報を高密度に記録するＤＶＤ（デジタル・バーサタイル・
ディスク）などの光ディスクが普及してきている。このような光ディスクは、一般にＤＶ
Ｄレコーダなどで知られている光ディスク記録再生装置によって情報が記録されたり、記
録された情報が再生されたりしている。このような光ディスク記録再生装置では、光ディ
スクを回転させるスピンドルモータ、このスピンドルモータを駆動させるモータ駆動回路
、光ディスクに対して情報の書込み／読出しを光学的に行う光ピックアップ、各種信号処
理回路などが備えられ、これらは筐体に収容されている。
【０００３】
ところで、光ディスクに対する情報の書込み速度や読出し速度は、年々速くなる傾向に
あり、これに伴って光ディスクを速く回転させるため、スピンドルモータの回転数を上げ
る必要がある。スピンドルモータの回転数は、モータ駆動回路の出力電圧により制御され
、その出力電圧を高くすることによって回転数が高くなる。しかし、スピンドルモータの
回転数が高くなるに伴い、スピンドルモータやモータ駆動回路（モータドライバＩＣ）な
どの発熱量も増大する。そこで、従来から光ディスク記録再生装置においては、スピンド
ルモータ、モータ駆動回路、光ピックアップ、各種信号処理回路などが収容された筐体に
は、内部の熱を外部に放出するためのファンが取り付けられていて、このファンを回転さ
せることによって筐体内部の熱を外部に放出している。
【特許文献１】特開２００３−１７３５３６号公報
【特許文献２】特開２００１−２０２６８９号公報
【発明の開示】
【発明が解決しようとする課題】
【０００４】
したがって、筐体内の熱が上がれば、ファンを速く回転させて熱を出来るだけ多く放出
するようにしているが、それにも限界があり、特に発熱の高い半導体部品に対する冷却効
果は十分とは言えない。
【０００５】
そこで、特許文献１の従来技術では、筐体の内部温度と予め設定された閾値との比較に
基づいて記録倍速を切り換え、筐体内のスピンドルモータやスピンドルモータドライバ（
モータ駆動回路）などの温度上昇を抑え、保証温度を超えないようにしている。例えば、
温度が閾値を超えたらスピンドルモータの回転数を低くして、記録速度を低速にして、温
度上昇を抑えている。しかし、記録速度を低速にしても、特に発熱の高い半導体部品（ス
ピンドルモータドライバなど）は、連続的に動作しているため、発熱が直ぐに少なくなる
とは考えられないので、特に発熱の高い半導体部品に対する冷却効果は十分とは言えない
。
【０００６】
また、特許文献２の従来技術では、温度監視部からの情報信号によってスピンドルモー
タの最高回転数を制御することにより、筐体内の温度上昇を抑えるようにしているが、こ
の従来技術も、特に発熱の高い半導体部品に対する冷却効果は十分とは言えない。
【０００７】
本発明は、上記のような課題を解決するためになされたもので、特に発熱の高い半導体
部品に対する冷却効果も十分に発揮できる構成を有する光ディスク記録再生装置を提供す
ることを目的とする。
【課題を解決するための手段】
【０００８】
上記目的を達成するために、請求項１の発明は、光ディスクを回転させるスピンドルモ
ータ、このスピンドルモータを駆動させるモータ駆動回路、光ディスクに対して情報の書
込み／読出しを光学的に行う光ピックアップなどを収容した筐体を有し、光ディスクに対
して情報の記録／再生を行う光ディスク記録再生装置において、筐体内の温度を測定する
ための温度センサと、複数個に分割された温度範囲の筐体内温度と前記分割された温度範
囲の筐体内温度が高くなるに従って記録速度が速くなる指定記録速度と前記分割された温
度範囲の筐体内温度に従って再生速度が速くなる指定再生速度との対応関係を示すテーブ
ルとを備えると共に、装置内に光ディスクが有るか否かを判定するディスク有無判定手段
と、装置内に光ディスクが有るということが前記ディスク有無判定手段により判定された
場合に前記温度センサから温度データを取得する温度データ取得手段と、現在の動作状態
が記録動作中であるか再生動作状態であるかを判定する動作状態判定手段と、現在の動作
状態が記録動作中であると判定された場合に前記温度データ取得手段により取得された現
在の筐体内の温度データが示す筐体温度に対応した指定記録速度を前記テーブルから読み
出して指定記録速度を設定する記録速度設定手段と、現在の動作状態が再生動作中である
と判定された場合に前記温度データ取得手段により取得された現在の筐体内の温度データ
が示す筐体内温度に対応した指定再生速度を前記テーブルから読み出して再生速度を設定
する再生速度設定手段と、記録動作時には前記記録速度設定手段により設定された指定記
録速度に従って前記モータ駆動回路を介して前記スピンドルモータを回転させると共に再
生動作時には前記再生速度設定手段により設定された再生速度に従って前記モータ駆動回
路を介して前記スピンドルモータを回転させるモータ回転制御手段とを有するシステムコ
ントローラを備え、前記システムコントローラを含む回路基板を、セットされた時の光デ
ィスクの上方に配置し、且つ、光ディスクの回転による風が多く当たる回路基板の部分に
、発熱の高い半導体部品である前記モータ駆動回路を少なくとも配置したことを特徴とす
る光ディスク記録再生装置を提供する。
【０００９】
この構成において、情報の記録または再生を行う対象の光ディスクを装置内に挿入する
と、ディスク有無判定手段により、光ディスクが装置内に有ると判定され、温度センサか
らの温度データが温度データ取得手段により取得される。そして、装置の現在の動作状態
が記録動作中であるということが動作状態判定手段により判定されると、前記温度データ
取得手段により取得された現在の温度データが示す筐体内温度に対応した指定記録速度が
、記録速度設定手段により、テーブルから読み出されて設定される。このようにして指定
記録速度が設定された後、モータ回転制御手段は、記録速度設定手段により設定された指
定記録速度に従ってモータ駆動回路を介してスピンドルモータを回転させる。
【００１０】
したがって、この構成によれば、記録動作時に筐体内温度が上昇すると、光ディスクが
通常よりも速く回転するので、この光ディスクの回転による風が発熱の高い半導体部品（
モータ駆動回路）などに当たり、この半導体部品などはファンによる冷却に加え、更に冷
却され、装置の熱暴走を防ぐことができ、これにより、装置を保護することができる。
【００１１】
一方、記録動作中ではなく再生動作中であると判定された場合は、前記温度データ取得
手段により取得された現在の温度データが示す筐体内温度に対応した指定再生速度が、再
生速度設定手段により、テーブルから読み出されて設定される。このようにして指定再生
速度が設定された後、モータ回転制御手段は、再生速度設定手段により設定された指定再
生速度に従ってモータ駆動回路を介してスピンドルモータを回転させる。したがって、再
生動作時に筐体内温度が上昇すると、光ディスクが通常よりも速く回転するので、この回
転による風が発熱の高い半導体部品（モータ駆動回路）などに当たり、この半導体部品な
どはファンによる冷却に加え、更に冷却され、装置の熱暴走を防ぐことができ、これによ
り、装置を保護することができる。
【００１２】
したがって、この構成によれば、再生動作時に筐体内温度が上昇すると、光ディスクが
通常よりも速く回転するので、この回転による風が光ディスクの上面側および下面側に発
生し、回路基板上の発熱の高い半導体部品などに当たり、この半導体部品はファンによる
冷却に加え、更に冷却され、装置の熱暴走を防ぐことができ、これにより、装置を保護す
ることができる。
【００１３】
請求項２の発明は、光ディスクを回転させるスピンドルモータ、このスピンドルモータ
を駆動させるモータ駆動回路、光ディスクに対して情報の書込み／読出しを光学的に行う
光ピックアップなどを収容した筐体を有し、光ディスクに対して情報の記録／再生を行う
光ディスク記録再生装置において、筐体内の温度を測定するための温度センサを筐体内に
設け、筐体内温度が高くなるに従って前記スピンドルモータの回転速度を上げるように制
御を行うシステムコントローラを備え、前記システムコントローラを含む回路基板を光デ
ィスクの上方に配置し、且つ、光ディスクの回転による風が多く当たる回路基板の部分に
、発熱の高い半導体部品を配置したことを特徴とする光ディスク記録再生装置を提供する
。
【００１４】
この構成において、筐体内温度が高くなるに従ってスピンドルモータの回転速度を上げ
るように制御するので、光ディスクの回転による風が多く当たる回路基板の部分に配置さ
れた発熱の高い半導体部品が効果的に冷却される。
【００１５】
この構成によれば、筐体内温度が上昇すると、光ディスクが通常よりも速く回転するの
で、この光ディスクの回転による風が光ディスクの上面側および下面側に発生し、回路基
板上の発熱の高い半導体部品などに当たり、この半導体部品はファンによる冷却に加え、
更に冷却され、装置の熱暴走を防ぐことができ、これにより、装置を保護することができ
る。
【００１６】
請求項３の発明では、請求項２の発明において、前記システムコントローラは、装置内
に光ディスクが有るか否かを判定するディスク有無判定手段と、装置内に光ディスクが有
るということが前記ディスク有無判定手段により判定された場合に前記温度センサから温
度データを取得する温度データ取得手段と、現在の動作状態が記録動作中であるか再生動
作状態であるかを判定する動作状態判定手段と、現在の動作状態が記録動作中であると判
定された場合に前記温度データ取得手段により取得された現在の筐体内の温度データが示
す筐体温度に対応した指定記録速度を前記テーブルから読み出して指定記録速度を設定す
る記録速度設定手段と、現在の動作状態が再生動作中であると判定された場合に前記温度
データ取得手段により取得された現在の筐体内の温度データが示す筐体内温度に対応した
指定再生速度を前記テーブルから読み出して再生速度を設定する再生速度設定手段と、記
録動作時には前記指定記録速度設定手段により設定された指定記録速度に従って前記モー
タ駆動回路を介して前記スピンドルモータを回転させると共に再生動作時には前記再生速
度設定手段により設定された再生速度に従って前記モータ駆動回路を介して前記スピンド
ルモータを回転させるモータ回転制御手段とを有する。
【００１７】
したがって、前記システムコントローラは、ディスク有無判定処理、温度データ取得処
理、動作状態判定処理、記録速度設定処理、再生速度設定処理、およびモータ回転制御処
理を実現でき、これにより、記録動作時または再生動作時に筐体内温度が上昇すると、光
ディスクを通常よりも速く回転させることができ、この光ディスクの回転による風を発熱
の高い半導体部品などに当てることができる。
【００１８】
請求項４の発明では、請求項２の発明において、前記システムコントローラを含む回路
基板を、セットされた時の光ディスクの上方に配置し、且つ、光ディスクの回転による風
が多く当たる回路基板の部分に、発熱の高い半導体部品である前記モータ駆動回路を少な
くとも配置したので、光ディスクの回転による風が発熱の高いモータ駆動回路などに当た
り、このモータ駆動回路などはファンによる冷却に加え、更に冷却され、装置の熱暴走を
防ぐことができ、これにより、装置を保護することができる。
【発明の効果】
【００１９】
以上のように本発明によれば、光ディスクを回転させるスピンドルモータ、このスピン
ドルモータを駆動させるモータ駆動回路、光ディスクに対して情報の書込み／読出しを光
学的に行う光ピックアップなどを収容した筐体を有し、光ディスクに対して情報の記録／
再生を行う光ディスク記録再生装置において、筐体内の温度を測定するための温度センサ
と、複数個に分割された温度範囲の筐体内温度と前記分割された温度範囲の筐体内温度が
高くなるに従って記録速度が速くなる指定記録速度と前記分割された温度範囲の筐体内温
度に従って再生速度が速くなる指定再生速度との対応関係を示すテーブルとを備えると共
に、装置内に光ディスクが有るか否かを判定するディスク有無判定手段と、装置内に光デ
ィスクが有るということが前記ディスク有無判定手段により判定された場合に前記温度セ
ンサから温度データを取得する温度データ取得手段と、現在の動作状態が記録動作中であ
るか再生動作状態であるかを判定する動作状態判定手段と、現在の動作状態が記録動作中
であると判定された場合に前記温度データ取得手段により取得された現在の筐体内の温度
データが示す筐体温度に対応した指定記録速度を前記テーブルから読み出して指定記録速
度を設定する記録速度設定手段と、現在の動作状態が再生動作中であると判定された場合
に前記温度データ取得手段により取得された現在の筐体内の温度データが示す筐体内温度
に対応した指定再生速度を前記テーブルから読み出して指定再生速度を設定する再生速度
設定手段と、記録動作時には前記記録速度設定手段により設定された指定記録速度に従っ
て前記モータ駆動回路を介して前記スピンドルモータを回転させると共に再生動作時には
前記再生速度設定手段により設定された指定再生速度に従って前記モータ駆動回路を介し
て前記スピンドルモータを回転させるモータ回転制御手段とを有するシステムコントロー
ラを備え、前記システムコントローラを含む回路基板を、セットされた時の光ディスクの
上方に配置し、且つ、光ディスクの回転による風が多く当たる回路基板の部分に、発熱の
高い半導体部品である前記モータ駆動回路を少なくとも配置したので、記録動作時または
再生動作時に筐体内温度が上昇すると、光ディスクが通常よりも速く回転し、この光ディ
スクの回転による風が発熱の高い半導体部品（モータ駆動回路）などに当たり、この半導
体部品などはファンによる冷却に加え、更に冷却され、装置の熱暴走を防ぐことができ、
これにより、装置を保護することができる。
【００２０】
また、本発明によれば、光ディスクを回転させるスピンドルモータ、このスピンドルモ
ータを駆動させるモータ駆動回路、光ディスクに対して情報の書込み／読出しを光学的に
行う光ピックアップなどを収容した筐体を有し、光ディスクに対して情報の記録／再生を
行う光ディスク記録再生装置において、筐体内の温度を測定するための温度センサを筐体
内に設け、筐体内温度が高くなるに従って前記スピンドルモータの回転速度を上げるよう
に制御を行うシステムコントローラを備え、前記システムコントローラを含む回路基板を
光ディスクの上方に配置し、且つ、光ディスクの回転による風が多く当たる回路基板の部
分に、発熱の高い半導体部品を配置したので、筐体内温度が上昇すると、光ディスクが通
常よりも速く回転し、この光ディスクの回転による風が光ディスクの上面側および下面側
に発生し、回路基板上の発熱の高い半導体部品などに当たり、この半導体部品はファンに
よる冷却に加え、更に冷却され、装置の熱暴走を防ぐことができ、これにより、装置を保
護することができる。
【発明を実施するための最良の形態】
【００２１】
以下、添付図面を参照しつつ、本発明の実施の形態について説明する。図１は本発明の
一実施形態に係る光ディスク記録再生装置の構成を示すブロック図である。
【００２２】
この光ディスク記録再生装置は、装置全体を制御するシステムコントローラ２２と、光
ディスク１を回転させるスピンドルモータ５と、光ディスク１に対して情報の書き込み／
読み出しを光学的に行う光ピックアップ２と、この光ピックアップ２を光ディスク１の半
径方向に移動させるためのスレッド３と、システムコントローラ２２の指示に応じてスピ
ンドルモータ５およびスレッド３を駆動すると共に光ピックアップ２に内蔵された対物レ
ンズ（図示せず）を動かすことによりレーザ光の焦点位置を光ディスク１の記録面に対し
て垂直方向および水平方向に移動させる制御を行うサーボ制御部４とを備えている。
【００２３】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをバッファメモリとしてのＲＡＭ７に
格納するデジタル信号処理部８と、システムコントローラ２２の指示に応じてデジタル信
号処理部８から出力されたデータストリームの中からオーディオデータとサブピクチャデ
ータとビデオデータとを分離するストリーム分離部９とを備えている。
【００２４】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力してＭＰＥＧでデコード処理を行うビデオＭＰＥＧデコーダ１５と、この
ビデオＭＰＥＧデコーダ１５でのデコード処理を行うためにデータを一時的に格納するＲ
ＡＭ１４とを備えている。
【００２５】
また、この光ディスク記録再生装置は、システムコントローラ２２の指示に応じてビデ
オＭＰＥＧデコーダ１５から出力されたデータとサブピクチャデコーダ１３から出力され
たデータとを合成するビデオプロセッサ１７と、このビデオプロセッサ１７から出力され
た合成データを表示用のビデオ信号に変換して画像をディスプレイ装置２０に表示させる
ビデオエンコーダ１８と、オーディオデコーダ１１から出力されたデータをアナログのオ
ーディオ信号に変換して例えばスピーカ１９に供給するＤ／Ａ変換器１６とを備えている
。
【００２６】
また、この光ディスク記録再生装置は、システムコントローラ２２に対して、記録指示
を与えるための記録キー、再生指示を与えるための再生キー、記録や再生の停止指示を与
えるための停止キーなど、各種操作キーを有する操作部２１と、この操作部２１の操作キ
ーよりも多くの操作キーを有するリモコン（図示せず）とを備えている。また、この光デ
ィスク記録再生装置は、装置の各構成要素を制御したり、装置全体を制御したりするため
のプログラムやデータが記憶されたフラッシュＲＯＭ２３と、このフラッシュＲＯＭ２３
のプログラムやデータに従って演算処理を行いシステムコントローラ２２を制御するＣＰ
Ｕ２４と、このＣＰＵ２４の演算処理に必要なデータを一時的に格納するＲＡＭ２７とを
備えている。
【００２７】
また、この光ディスク記録再生装置は、アンテナ２８に接続されるチューナ２９と、こ
のチューナ２９で選局されたテレビジョン放送のアナログの映像音声信号、あるいは図示
しないテレビジョン受信機や他の映像音声出力機器からの映像音声信号をデジタルの映像
音声データに変換するＡ／Ｄ変換回路３０と、前記映像音声データをＭＰＥＧ（Moving P
icture Experts Group）でエンコードするＭＰＥＧエンコーダ３１と、前記エンコードし
た映像音声データ（以下エンコードデータと言う）を一時的に所定量だけ格納するバッフ
ァメモリとしてのＲＡＭ３２と、記録データ変調回路２５と接続するインターフェースで
あるＡＴＡＰＩ（AT Attachment Packet Interface）３３と、このＡＴＡＰＩ３３から送
られてきたエンコードデータを光ディスク１に記録するために変調をかける記録データ変
調回路２５と、この記録データ変調回路２５により変調された変調データに基づいて光ピ
ックアップ２から出射するレーザ光を変調させるためのレーザ変調信号を光ピックアップ
２に出力するレーザ変調回路２６とを備えている。
【００２８】
システムコントローラ２２は、本実施形態の特徴とする構成要素として、装置内に光デ
ィスク１が有るか否かを判定するディスク有無判定手段２２１と、装置内に光ディスク１
が有るということがディスク有無判定手段２２１により判定された場合に温度センサ３５
から温度データを取得する温度データ取得手段２２２と、現在の動作状態が記録動作中で
あるか再生動作状態であるかを判定する動作状態判定手段２２３と、現在の動作状態が記
録動作中であると判定された場合に温度データ取得手段２２２により取得された現在の筐
体内の温度データが示す筐体内温度に対応した指定記録速度をテーブルから読み出して指
定記録速度を設定する記録速度設定手段２２４とを有する。
【００２９】
また、システムコントローラ２２は、現在の動作状態が再生動作中であると判定された
場合に温度データ取得手段２２２により取得された現在の筐体内の温度データが示す筐体
内温度に対応した指定再生速度をテーブルから読み出して指定再生速度を設定する再生速
度設定手段２２５と、記録動作時には記録速度設定手段２２４により設定された指定記録
速度に従ってモータ駆動回路３４を介してスピンドルモータ５を回転させると共に、再生
動作時には再生速度設定手段２２５により設定された指定再生速度に従ってモータ駆動回
路３４を介してスピンドルモータ５を回転させるモータ回転制御手段２２６とを有する。
【００３０】
図２は本実施形態において回路基板に実装されている発熱の高い半導体部品を光ディス
クの回転によって冷却する構成を模式的に示した構成図である。図２において、４０は光
ディスク記録再生装置の筐体を示し、この筐体４０の一方の側面には、回路基板３６に実
装されている半導体部品４２，４３，４４，４５やスピンドルモータ５などを冷却するた
めに筐体４０内の空気を外部に排出するファン３８が設けられ、この筐体４０の他方の側
面には、外部の空気を筐体４０内に吸気するための吸気口４１が設けられている。ファン
３８が回転すると、筐体４０内の空気が外部に排出されると同時に、外部の空気が吸気口
４１から筐体４０内に吸気される。これにより、半導体部品４２，４３，４４，４５やス
ピンドルモータ５などが冷却される。また、筐体４０内には、光ディスク１を回転させる
スピンドルモータ５、光ディスク１を装置に対して出し入れするときに光ディスク１が載
置されるトレイ３９、セットされたときの光ディスク１の上方に配置された回路基板３６
などが収容されている。
【００３１】
ところで、回路基板３６に実装されている半導体部品の中でも、特に発熱の高い半導体
部品、例えば、モータ駆動回路３４（図１参照）を構成するモータドライバＩＣチップを
半導体部品４５の位置に位置するように回路基板３６に実装すると、スピンドルモータ５
の回転により光ディスク１が回転し、この光ディスク１の回転によって生じる風によって
、半導体部品４５（この場合、モータドライバＩＣチップ）が更に冷却されることになる
。また、半導体部品４２も光ディスク１の外周上方に位置するので、光ディスク１の回転
により生じる風によって更に冷却される。半導体部品４２の位置に発熱し易い、例えば、
デコーダ系のＩＣチップを設ければ、このデコーダ系のＩＣチップが光ディスク１の回転
により生じる風によって更に冷却されることになる。
【００３２】
図３は本実施形態において、複数個に分割された温度範囲の筐体内温度と、前記分割さ
れた温度範囲の筐体内温度が高くなるに従って記録速度が速くなる指定記録速度と、前記
分割された温度範囲の筐体内温度に従って再生速度が速くなる指定再生速度との対応関係
の一例を示すテーブルの内容を示す図である。
【００３３】
図３において、テーブル４６はフラッシュＲＯＭ２３（図１参照）に記憶されている。
このテーブル４６において、筐体内温度が４０℃以下のとき、指定記録速度が１ｘ（１倍
速）であり、指定再生速度が１ｘ（１倍速）であることを示す。また、筐体内温度が４０
℃超〜４５℃以下のとき、指定記録速度が２ｘ（２倍速）であり、指定再生速度が２ｘ（
２倍速）であることを示す。また、筐体内温度が４５℃超〜５０℃以下のとき、指定記録
速度が４ｘ（４倍速）であり、指定再生速度が４ｘ（４倍速）であることを示す。また、
筐体内温度が５０℃超のとき、指定記録速度が６ｘ（６倍速）であり、指定再生速度が８
ｘ（８倍速）であることを示す。これらの筐体内温度の温度値と指定記録速度の倍速値と
指定再生速度の倍速値との関係は、一例であるので、これらに限ることはない。
【００３４】
ここで言う指定記録速度は、例えば２倍速であれば、記録動作時にスピンドルモータ５
が通常の２倍の回転速度で回転し、光ディスク１も通常の２倍で回転する速度である。光
ディスク１が２倍速で回転するが、光ディスク１が２倍速で回転したときに使用される記
録領域の量と、光ディスク１が１倍速で回転したときに使用される記録領域の量とは、同
じになる。それは、バッファメモリとしてのＲＡＭ３２に記録すべきデータが所定量格納
され、この後、一定時間間隔で読み出され、光ディスク１に記録されるが、その記録速度
が２倍であるため、通常の記録速度の半分の時間で同じデータ量（記録単位で見た場合の
データ量）を記録することができ、記録単位のデータの記録が終わってから次の記録単位
のデータを記録するまでの待ち時間を通常の記録速度で記録する場合の所定倍に取れば、
光ディスク１が２倍速で回転したときに使用される記録領域の量と、光ディスク１が１倍
速で回転したときに使用される記録領域の量とは、同じになる。
【００３５】
また、指定再生速度は、例えば２倍速であれば、再生動作時にスピンドルモータ５が通
常の２倍の回転速度で回転し、光ディスク１も通常の２倍で回転する速度である。光ディ
スク１が２倍速で回転すると、１倍速で回転したときの読出し速度の２倍の読出し速度で
光ディスク１からデータが読み出されるが、光ディスク１の全体の再生時間は倍速に関係
なく同じであり（言い換えれば光ディスク１が速く回転しても再生信号の状態は変わらな
いので）、ディスプレイ装置２０に表示される映像やスピーカ１９から出力される音声は
、１倍速で再生した場合と同じ状態になる。それは、バッファメモリとしてのＲＡＭ７に
再生すべきデータが所定量格納され、この後、１倍速再生であっても２倍速再生であって
も時間当り同じ一定量のデータが読み出されて再生されるからである。
【００３６】
図４は本実施形態において筐体内の温度変化に応じて光ディスクの回転数を変える制御
を説明するためのフローチャートである。このフローチャートおよび図１〜図３を参照し
て筐体内の温度変化に応じて光ディスクの回転数を変える制御について説明する。
【００３７】
先ず、情報の記録または再生を行う対象の光ディスク１を光ディスク記録再生装置のト
レイ３９に載置して装置内に挿入すると、システムコントローラ２２のディスク有無判定
手段２２１は、図示しないディスク検出センサの出力により、装置内に光ディスク１が有
るか否かを判定し（ステップＳ１）、光ディスク１が装置内に有ると判定されると、シス
テムコントローラ２２の温度データ取得手段２２２は、温度センサ３５から温度データを
取得する（ステップＳ２）。
【００３８】
そして、システムコントローラ２２の動作状態判定手段２２３は、装置の現在の動作状
態が記録動作中であるか再生動作中であるかを判定し（ステップＳ３）、記録動作中であ
れば、システムコントローラ２２の記録速度設定手段２２４は、前記温度データ取得手段
２２２により取得された現在の温度データが示す筐体内温度に対応した指定記録速度をテ
ーブル４６から読み出して設定する（ステップＳ４）。例えば、現在の筐体内温度が３８
℃であれば、テーブル４６から指定記録速度１ｘ（１倍速）が読み出されて設定される。
【００３９】
このようにして指定記録速度が設定された後、システムコントローラ２２のモータ回転
制御手段２２６は、記録速度設定手段２２４により設定された指定記録速度に従ってサー
ボ制御部４およびモータ駆動回路３４を介してスピンドルモータ５を回転させる（ステッ
プＳ５）。例えば、この時点では、現在の筐体内温度が３８℃であれば、１倍速でスピン
ドルモータ５が回転し、これにより、光ディスク１も１倍速で回転する。
【００４０】
このようなステップＳ２からステップＳ５までの処理は、記録動作が終了するまで（ス
テップＳ６）、繰り返されるが、筐体内温度が上昇していくと、光ディスク１の回転数も
高くなる。例えば、筐体内温度が４０℃未満から４０℃以上４５℃未満に上昇すると、指
定記録速度が１倍速から２倍速になり、更に、筐体内温度が４０℃超〜４５℃以下から４
５℃超〜５０℃以下に上昇すると、指定記録速度が２倍速から４倍速になる。更に、筐体
内温度が４５℃超〜５０℃以下から５０℃超に上昇すると、指定記録速度が４倍速から６
倍速になる。
【００４１】
このように記録動作時に筐体内温度が上昇すると、光ディスク１が通常よりも速く回転
するので、この回転による風が光ディスクの上面側および下面側に発生し、回路基板３６
上の発熱の高い半導体部品（モータドライブＩＣ）４５などに当たり、この半導体部品４
５などはファン３８による冷却に加え、更に冷却され、装置の熱暴走を防ぐことができ、
これにより、装置を保護することができる。
【００４２】
一方、ステップＳ３において、記録動作中ではなく再生動作中であると判定された場合
は、システムコントローラ２２の再生速度設定手段２２５は、前記温度データ取得手段２
２２により取得された現在の温度データが示す筐体内温度に対応した指定再生速度をテー
ブル４６から読み出して設定する（ステップＳ７）。例えば、現在の筐体内温度が３５℃
であれば、テーブル４６から再生記録速度１ｘ（１倍速）が読み出されて設定される。
【００４３】
このようにして指定再生速度が設定された後、システムコントローラ２２のモータ回転
制御手段２２６は、再生速度設定手段２２５により設定された指定再生速度に従ってサー
ボ制御部４およびモータ駆動回路３４を介してスピンドルモータ５を回転させる（ステッ
プＳ８）。例えば、この時点では、現在の筐体内温度が３５℃であれば、１倍速でスピン
ドルモータ５が回転し、これにより、光ディスク１も１倍速で回転する。
【００４４】
このようなステップＳ２，Ｓ３，Ｓ７，Ｓ８までの処理は、再生動作が終了するまで（
ステップＳ９）、繰り返されるが、筐体内温度が上昇していくと、光ディスク１の回転数
も高くなる。例えば、筐体内温度が４０℃以下から４０℃超〜４５℃以下に上昇すると、
指定再生速度が１倍速から２倍速になり、更に、筐体内温度が４０℃超〜４５℃以下から
４５℃超〜５０℃以下に上昇すると、指定再生速度が２倍速から４倍速になる。更に、筐
体内温度が４５℃超〜５０℃以下から５０℃超に上昇すると、指定再生速度が４倍速から
８倍速になる。
【００４５】
このように再生動作時に筐体内温度が上昇すると、光ディスク１が通常よりも速く回転
するので、この回転による風が光ディスクの上面側および下面側に発生し、回路基板３６
上の発熱の高い半導体部品（モータドライブＩＣ）４５などに当たり、この半導体部品４
５はファン３８による冷却に加え、更に冷却され、装置の熱暴走を防ぐことができ、これ
により、装置を保護することができる。
【００４６】
以上説明したように本実施形態によれば、記録動作時または再生動作時に筐体内温度が
上昇すると、光ディスクが通常よりも速く回転し、この光ディスクの回転による風が発熱
の高い半導体部品（モータ駆動回路）などに当たり、この半導体部品などはファンによる
冷却に加え、更に冷却され、装置の熱暴走を防ぐことができ、これにより、装置を保護す
ることができる。
【図面の簡単な説明】
【００４７】
【図１】本発明の一実施形態に係る光ディスク記録再生装置の構成を示すブロック図である。
【図２】前記実施形態において回路基板に実装されている発熱の高い半導体部品を光ディスクの回転によって冷却する構成を模式的に示した構成図である。
【図３】前記実施形態において、複数個に分割された温度範囲の筐体内温度と、前記分割された温度範囲の筐体内温度が高くなるに従って記録速度が速くなる指定記録速度と、前記分割された温度範囲の筐体内温度に従って再生速度が速くなる指定再生速度との対応関係の一例を示すテーブルの内容を示す図である。
【図４】前記実施形態において筐体内の温度変化に応じて光ディスクの回転数を変える制御を説明するためのフローチャートである。
【符号の説明】
【００４８】
１    光ディスク
２    光ピックアップ
５    スピンドルモータ
２２    システムコントローラ
３４    モータ駆動回路
３５    温度センサ
４６    テーブル
２２１    ディスク有無判定手段
２２２    温度データ取得手段
２２３    動作状態判定手段
２２４    記録速度設定手段
２２５    再生速度設定手段
２２６    モータ回転制御手段
【図１】
2006318598.tif 000003
【図２】
2006318598.tif 000004
【図３】
2006318598.tif 000005
【図４】
2006318598.tif 000006